(57)【要約】      （修正有）【課題】ＵＳＢ規格による電源供給機能を有する機器本体の動作に関係無くＵＳＢインターフェースを介して電源供給を行う事が可能となる電源供給機器等を提供する。【解決手段】電源供給機器は、ＵＳＢポートへ供給する電源のＯｎ／Ｏｆｆを、自機器のメイン電源のＯｎ／Ｏｆｆとは分離してＯｎ／Ｏｆｆする。電源供給機器は、ＵＳＢポートへ供給する電源を、自機器のメイン回路へ供給するメイン電源とは分離して供給する。【選択図】図１
2011204159.tif 000002
【特許請求の範囲】
【請求項１】
ＵＳＢポートへ供給する電源のＯｎ／Ｏｆｆを、自機器のメイン電源のＯｎ／Ｏｆｆとは分離してＯｎ／Ｏｆｆすることを特徴とする電源供給機器。
【請求項２】
前記ＵＳＢポートへ供給する電源を、自機器のメイン回路へ供給するメイン電源とは分離して供給することを特徴とする請求項１記載の電源供給機器。
【請求項３】
自機器のメイン電源がＯｎ時に、前記ＵＳＢポートへ供給する電源のＯｎ／Ｏｆｆを自機器のメイン回路からの制御で行うように切り替えることを特徴とする請求項１または２記載の電源供給機器。
【請求項４】
前記メイン電源がＯｆｆ、かつ、前記ＵＳＢポートへ供給する電源がＯｎ時に、自機器のメイン回路には電源が供給されない様に切り離すことを特徴とする請求項２記載の電源供給機器。
【請求項５】
共通する電源を有し、自機器のメイン回路への電源がＯｆｆ、かつ、前記ＵＳＢポートへ供給する電源がＯｎ時に、前記機器のメイン回路には電源が供給されないように切り離すスイッチを備えることを特徴とする請求項１記載の電源供給機器。
【請求項６】
ＵＳＢポートへ供給する電源のＯｎ／Ｏｆｆを、自機器のメイン電源のＯｎ／Ｏｆｆとは分離してＯｎ／Ｏｆｆすることを特徴とする電源供給方法。
【請求項７】
電源供給機器に、
ＵＳＢポートへ供給する電源のＯｎ／Ｏｆｆを、自機器のメイン電源のＯｎ／Ｏｆｆとは分離してＯｎ／Ｏｆｆする処理を実行させることを特徴とするプログラム。
【発明の詳細な説明】
【技術分野】
【０００１】
本発明は、ＵＳＢポートを備える機器（Ａ）が、そのＵＳＢポートに接続された機器（Ｂ）に対して電源を供給する技術に関する。
【背景技術】
【０００２】
近年、携帯電話機や携帯型音楽プレイヤー、携帯型ゲーム機等が普及し利用機会も増加しており、携帯電話機や携帯型音楽プレイヤー、携帯型ゲーム機等の携帯型機器は、再充電可能な二次電池を内蔵しているのが一般的であるが、携帯型であるが故に上記の内蔵している二次電池の電池切れによって使用不可能な状態となる事は日常茶飯事である。
【０００３】
電池切れの状態を回避する手段として、上記の携帯型機器に内蔵する二次電池を再充電する為の機器や手段も数多く開発されている。
【０００４】
上記の内蔵している二次電池に対して充電を行う手段の一つとして、パーソナルコンピュータ等の情報処理装置に普及しているＵＳＢ（Universal Serial Bus）規格の電源供給機能を利用して、ＵＳＢインターフェースからの充電を行う方式も一般化している。
【０００５】
しかしながら、例えばパーソナルコンピュータ等でＵＳＢ規格による電源供給機能を有する機器においては、機器本体が起動している状態でＵＳＢ規格にのっとった制御によって電源の供給を行っており、機器本体が動作していない状態ではＵＳＢインターフェースに電源が供給される事は無い。
【０００６】
従って、上記の内蔵している二次電池にＵＳＢインターフェースから充電を行う際には、ＵＳＢ規格による電源供給機能を有する機器が起動されていてＵＳＢ規格にのっとった制御により電源の供給を行っている必要がある。
【０００７】
関連技術として、ＵＳＢインターフェースのＵＳＢ電源は常時通電電源によりメインパワーコントロールスイッチのオン・オフのいずれの状態にも影響を受けずに常に電源の供給をできる。ＰＣ本体へ接続すると、ワイヤレスキーボードとワイヤレスマウスそれぞれが内蔵するバッテリの充電をＵＳＢインターフェースによりできる技術が開示されている（例えば、特許文献１参照）。
【０００８】
また、関連技術として、電子機器がＵＳＢ等のインターフェースに接続されると、それを介してバス電力が供給される。インターフェースを構成するＵＳＢコントローラの電力供給は維持しつつ、それ以外の電力供給をオフするように電力分配スイッチを設定する技術が開示されている（例えば、特許文献２参照）。
【先行技術文献】
【特許文献】
【０００９】
【特許文献１】特開２００１−１１７６７６号公報
【特許文献２】特開２００６−０５３７４８号公報
【発明の概要】
【発明が解決しようとする課題】
【００１０】
しかしながら、上記の関連技術では、電源供給能力を持つ機器の本来の機能が起動していない状態では、ＵＳＢインターフェースを介して電源が供給される事は無かった。
【００１１】
特許文献１では、ＵＳＢポートに供給する電源部分が常時ＯＮ電源とする構成となっている。常時電源ＯＮはせず、電源供給側機器からＵＳＢポートにだけ電源供給する場合でも物理スイッチ等による電源のＯｎ／Ｏｆｆ情報によって電源をＯｎして供給することはできなかった。
【００１２】
また、特許文献２では、電源供給側が一度稼働して接続されるデバイスを認識したのち、その後の電源供給を制御する構成であるが、これは同時に、接続されるデバイスが各々の規格(ＵＳＢ，ＩＥＥＥ１３９４等)にのっとった通信手段を有する事が前提となる。電源供給側はいっさい稼働する事なく、接続されるデバイスの有無を認識する必要性をなくすことはできない。
【００１３】
本発明の目的は、ＵＳＢ規格による電源供給機能を有する機器におけるＵＳＢインターフェースへの電源供給手段として、機器本体の動作に関係なく電源供給を行える機能を設ける事で、機器本体の動作に関係無くＵＳＢインターフェースを介して電源供給を行う事が可能となる電源供給機器、電源供給方法およびプログラムを提供することにある。
【課題を解決するための手段】
【００１４】
本発明の電源供給機器は、ＵＳＢポートへ供給する電源のＯｎ／Ｏｆｆを、自機器のメイン電源のＯｎ／Ｏｆｆとは分離してＯｎ／Ｏｆｆすることを特徴とする。
【００１５】
また、本発明の電源供給方法は、ＵＳＢポートへ供給する電源のＯｎ／Ｏｆｆを、自機器のメイン電源のＯｎ／Ｏｆｆとは分離してＯｎ／Ｏｆｆすることを特徴とする。
【００１６】
また、本発明のプログラムは、電源供給機器に、
ＵＳＢポートへ供給する電源のＯｎ／Ｏｆｆを、自機器のメイン電源のＯｎ／Ｏｆｆとは分離してＯｎ／Ｏｆｆする処理を実行させることを特徴とする。
【発明の効果】
【００１７】
本発明によれば、ＵＳＢ規格による電源供給機能を有する機器本体の動作に関係無くＵＳＢインターフェースを介して接続された携帯型機器等への電源供給を行う事が可能となる。
【図面の簡単な説明】
【００１８】
【図１】本発明の第一の実施の形態に係る電源供給機器の構成を示すブロック図である。
【図２】本発明の第一の実施の形態に係る処理動作を示すフローチャートである。
【図３】本発明の第二の実施の形態に係る電源供給機器の構成を示すブロック図である。
【図４】本発明の第二の実施の形態に係る処理動作を示すフローチャートである。
【図５】本発明の実施例を示す図である。
【発明を実施するための形態】
【００１９】
本発明の実施の形態について図面を参照して詳細に説明する。図１は本発明の第一の実施の形態における電源供給機器の構成を示すブロック図である。
【００２０】
図１を参照すると、本実施の形態における電源供給装置は、メイン電源Ｏｎ／Ｏｆｆ情報（Ａ）、ＵＳＢ電源Ｏｎ／Ｏｆｆ情報（Ｂ）、機器メイン電源（Ｃ）、ＵＳＢ用電源（Ｄ）、機器メイン回路（Ｅ）、ＵＳＢポート電源供給制御回路（Ｆ）、ＵＳＢポート（Ｇ）を含んで構成される。
【００２１】
メイン電源Ｏｎ／Ｏｆｆ情報（Ａ）は、メイン電源のＯｎ／Ｏｆｆの状態を通知する物理的なスイッチ等からの情報を示す。
【００２２】
ＵＳＢ電源のＯｎ／Ｏｆｆ情報（Ｂ）はＵＳＢ電源のＯｎ／Ｏｆｆ状態を通知する物理的なスイッチ等からの情報を示す。
【００２３】
機器メイン電源（Ｃ）は機器メイン回路（Ｅ）への供給する電源の供給器を示す。
【００２４】
ＵＳＢ用電電（Ｄ）はＵＳＢポートへ供給する電源の供給器を示す。
【００２５】
機器メイン回路（Ｅ）は、機器本来の機能を実現する為の回路を示す。
【００２６】
ＵＳＢポート電源供給制御回路（Ｆ）は、ＵＳＢポートへ供給する電源の制御回路を示す。
【００２７】
ＵＳＢポート（Ｇ）は物理的なＵＳＢポートを示す。
【００２８】
次に、本実施の形態の動作を図面を参照して詳細に説明する。
図２のフローチャートを参照すると、まず、電源供給装置は、初期状態では、メイン電源Ｏｎ／Ｏｆｆ情報（Ａ）、ＵＳＢ電源のＯｎ／Ｏｆｆ情報（Ｂ）は共にＯｆｆ状態を示すものとする（Ｓ２０１）。
【００２９】
初期状態からメイン電源Ｏｎ／Ｏｆｆ情報（Ａ）がＯｎ状態となった時、機器メイン電源（Ｃ）は起動し、機器メイン回路（Ｅ）に電源を供給する（Ｓ２０２）。
【００３０】
また、メイン電源Ｏｎ／Ｏｆｆ情報（Ａ）がＯｎ状態となった時は同時に、ＵＳＢ用電源（Ｄ）も同時に起動し、ＵＳＢポート電源供給制御回路（Ｆ）への電源を供給する（Ｓ２０３）。この際、ＵＳＢ電源のＯｎ／Ｏｆｆ情報（Ｂ）の状態は無視される。
【００３１】
電源供給されたＵＳＢポート電源供給制御回路（Ｆ）では、メイン電源Ｏｎ／Ｏｆｆ情報（Ａ）がＯｎである事を検出して、ＵＳＢポート（Ｇ）への電源供給を機器メイン回路（Ｅ）からの制御（Ｅ）−１によって行う様に動作する（Ｓ２０４）。
電源供給された機器メイン回路（Ｅ）では、ＵＳＢポートの電源供給制御回路（Ｆ）を制御してＵＳＢポート（Ｇ）への電源供給を行う。
【００３２】
初期状態からＵＳＢ電源のＯｎ／Ｏｆｆ情報（Ｂ）のみがＯｎ状態となった時、ＵＳＢ用電源（Ｄ）は起動し、ＵＳＢポート電源供給制御回路（Ｆ）への電源を供給する（Ｓ２０５）。この時、機器メイン電源（Ｃ）は起動せず機器メイン回路（Ｅ）への電源供給は行われない。
電源供給されたＵＳＢポート電源供給制御回路（Ｆ）では、メイン電源Ｏｎ／Ｏｆｆ情報（Ａ）がＯｆｆ状態である事を検出して、ＵＳＢポート（Ｇ）への電源供給を機器メイン回路（Ｅ）からの制御（Ｅ）−１によらずに供給する様に動作する（Ｓ２０６）。
【００３３】
上記の本実施の形態によれば、ＵＳＢポートを介して電源供給する能力を有する機器において、機器のメイン回路に通電を行わずにＵＳＢポートからの電源供給が行える。
【００３４】
また、ＵＳＢポートを介して充電を行う事が出来る端末へ、ＵＳＢポートを介して容易に充電を行う事が出来る。
【００３５】
図３は、より簡易に実現した本発明の第二の実施の形態における電源供給機器の構成を示すブロック図である。
【００３６】
メイン電源Ｏｎ／Ｏｆｆ情報（Ａ）は、メイン電源のＯｎ／Ｏｆｆの状態を通知する物理的なスイッチ等からの情報を示す。
【００３７】
ＵＳＢ電源のＯｎ／Ｏｆｆ情報（Ｂ）はＵＳＢ電源のＯｎ／Ｏｆｆ状態を通知する物理的なスイッチ等からの情報を示す。
【００３８】
電源（Ｃ）は機器内に供給する全ての電源の供給器を示す。
【００３９】
スイッチ（Ｄ）はメイン電源Ｏｎ／Ｏｆｆ情報（Ａ）がＯｆｆの状態を示す時に、機器メイン回路（Ｅ）に供給する電源をカットするスイッチを示す。
【００４０】
機器メイン回路（Ｅ）は、機器本来の機能を実現する為の回路を示す。
【００４１】
ＵＳＢポート電源制御回路（Ｆ）は、ＵＳＢポートへ供給する電源の制御回路を示す。
【００４２】
ＵＳＢポート（Ｇ）は物理的なＵＳＢポートを示す。
【００４３】
次に、本実施の形態の動作を図面を参照して詳細に説明する。
図４のフローチャートを参照すると、まず、電源（Ｃ）はメイン電源Ｏｎ／Ｏｆｆ情報（Ａ）と、ＵＳＢ電源のＯｎ／Ｏｆｆ情報（Ｂ）のどちらかがＯｎ状態を示す場合には起動して後段に電源を供給する（Ｓ４０１）。
【００４４】
スイッチ（Ｄ）は、メイン電源Ｏｎ／Ｏｆｆ情報（Ａ）がＯｎ状態を示す時には接続し、Ｏｆｆ状態を示す時には切り離す事により、メイン電源Ｏｎの状態の時だけ機器メイン回路（Ｅ）に電源を供給する（Ｓ４０２）。
【００４５】
ＵＳＢポート電源供給制御回路（Ｆ）では、メイン電源Ｏｎ／Ｏｆｆ情報（Ａ）がＯｎ状態の場合にはその状態を検出して、ＵＳＢポート（Ｇ）への電源供給を機器メイン回路（Ｅ）からの制御（Ｅ）−１によって行う様に動作する（Ｓ４０３）。
【００４６】
また、ＵＳＢポート電源供給制御回路（Ｆ）では、メイン電源Ｏｎ／Ｏｆｆ情報（Ａ）がＯｆｆ状態の場合にはその状態を検出して、ＵＳＢポート（Ｇ）への電源供給を機器メイン回路（Ｅ）からの制御（Ｅ）−１によらずに行う様に動作する（Ｓ４０４）。この場合のＵＳＢ電源Ｏｎ／Ｏｆｆ情報（Ｂ）はＯｎ状態を示す。
【００４７】
本実施の形態では、ＵＳＢポートへの電源供給に専用の電源部分を持たないので、回路を簡易化できる。
【００４８】
次に、本発明の具体的な実施例について図５を用いて説明する。
図５を参照すると、（Ｈ）は屋外使用を前提としたノート型パソコンを示す。（Ｉ）−１はＵＳＢ電源のＯｎ／Ｏｆｆ情報を通知する為に設ける物理スイッチを示す。（Ｉ）−２はＵＳＢポートに接続されるＵＳＢケーブルを示す。（Ｊ）はＵＳＢポートに接続されて対象デバイスに電源を供給する為のケーブルを示す。（Ｋ）はＵＳＢポートから給電されるデバイスとして携帯電話機を示す。
【００４９】
図５では、ノート型パソコン（Ｈ）と携帯電話機（Ｋ）をケーブル（Ｊ）で接続し、（Ｉ）−１のスイッチをＵＳＢ電源Ｏｎ状態にする事で、ノート型パソコン（Ｈ）のメイン電源のＯｎ／Ｏｆｆ状態に関わらず、携帯電話機（Ｋ）の充電が行われる。
【００５０】
なお、上述する各実施の形態は、本発明の好適な実施の形態であり、本発明の要旨を逸脱しない範囲内において種々変更実施が可能である。例えば、電源供給機器の機能を実現するためのプログラムをシステムに読込ませて実行することによりシステムの機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【００５１】
上記の実施の形態の一部または全部は、以下の付記のようにも記載されうるが、以下には限られない。
【００５２】
（付記１）ＵＳＢポートへ供給する電源のＯｎ／Ｏｆｆを、自機器のメイン電源のＯｎ／Ｏｆｆとは分離してＯｎ／Ｏｆｆすることを特徴とする電源供給機器。
【００５３】
（付記２）前記ＵＳＢポートへ供給する電源を、自機器のメイン回路へ供給するメイン電源とは分離して供給することを特徴とする付記１記載の電源供給機器。
【００５４】
（付記３）自機器のメイン電源がＯｎ時に、前記ＵＳＢポートへ供給する電源のＯｎ／Ｏｆｆを自機器のメイン回路からの制御で行うように切り替えることを特徴とする付記１または２記載の電源供給機器。
【００５５】
（付記４）前記メイン電源がＯｆｆ、かつ、前記ＵＳＢポートへ供給する電源がＯｎ時に、自機器のメイン回路には電源が供給されない様に切り離すことを特徴とする付記２記載の電源供給機器。
【００５６】
（付記５）共通する電源を有し、自機器のメイン回路への電源がＯｆｆ、かつ、前記ＵＳＢポートへ供給する電源がＯｎ時に、前記機器のメイン回路には電源が供給されないように切り離すスイッチを備えることを特徴とする付記１記載の電源供給機器。
【００５７】
（付記６）ＵＳＢポートへ供給する電源のＯｎ／Ｏｆｆを、自機器のメイン電源のＯｎ／Ｏｆｆとは分離してＯｎ／Ｏｆｆすることを特徴とする電源供給方法。
【００５８】
（付記７）前記ＵＳＢポートへ供給する電源を、自機器のメイン回路へ供給するメイン電源とは分離して供給することを特徴とする付記６記載の電源供給方法。
【００５９】
（付記８）自機器のメイン電源がＯｎ時に、前記ＵＳＢポートへ供給する電源のＯｎ／Ｏｆｆを自機器のメイン回路からの制御で行うように切り替えることを特徴とする付記６または７記載の電源供給方法。
【００６０】
（付記９）前記メイン電源がＯｆｆ、かつ、前記ＵＳＢポートへ供給する電源がＯｎ時に、自機器のメイン回路には電源が供給されない様に切り離すことを特徴とする付記７記載の電源供給方法。
【００６１】
（付記１０）共通する電源を有し、自機器のメイン回路への電源がＯｆｆ、かつ、前記ＵＳＢポートへ供給する電源がＯｎ時に、スイッチにより前記機器のメイン回路には電源が供給されないように切り離すことを特徴とする付記６記載の電源供給方法。
【００６２】
（付記１１）電源供給機器に、
ＵＳＢポートへ供給する電源のＯｎ／Ｏｆｆを、自機器のメイン電源のＯｎ／Ｏｆｆとは分離してＯｎ／Ｏｆｆする処理を実行させることを特徴とするプログラム。
【００６３】
（付記１２）前記ＵＳＢポートへ供給する電源を、自機器のメイン回路へ供給するメイン電源とは分離して供給することを特徴とする付記１１記載のプログラム。
【００６４】
（付記１３）自機器のメイン電源がＯｎ時に、前記ＵＳＢポートへ供給する電源のＯｎ／Ｏｆｆを自機器のメイン回路からの制御で行うように切り替えることを特徴とする付記１１または１２記載のプログラム。
【００６５】
（付記１４）前記メイン電源がＯｆｆ、かつ、前記ＵＳＢポートへ供給する電源がＯｎ時に、自機器のメイン回路には電源が供給されない様に切り離すことを特徴とする付記１２記載のプログラム。
【００６６】
（付記１５）共通する電源を有し、自機器のメイン回路への電源がＯｆｆ、かつ、前記ＵＳＢポートへ供給する電源がＯｎ時に、スイッチにより前記機器のメイン回路には電源が供給されないように切り離すことを特徴とする付記１２記載のプログラム。
【符号の説明】
【００６７】
Ａ    メイン電源Ｏｎ／Ｏｆｆ情報
Ｂ    ＵＳＢ電源Ｏｎ／Ｏｆｆ情報
Ｃ    機器メイン電源
Ｄ    ＵＳＢ用電源
Ｅ    機器メイン回路
Ｆ    ＵＳＢポート電源供給制御回路
Ｇ    ＵＳＢポート
【図１】
2011204159.tif 000003
【図２】
2011204159.tif 000004
【図３】
2011204159.tif 000005
【図４】
2011204159.tif 000006
【図５】
2011204159.tif 000007